(57)【要約】【課題】構造ユニットを基礎や下部ユニットの上の正確な位置にしかもスムーズに設置でき、工期の短縮も図れる簡易組立型の構造ユニットの固定部への設置方法および固定具を得る。【解決手段】簡易組立型の構造ユニットの基礎などの固定部２へ、位置決め用のポール４とアンカーボルト５とを立設したベースプレート３を配設し、構造ユニット６の下部に前記位置決めポール挿入孔７とボルト孔８とを形成し、位置決め用のポール４を挿入孔７に挿入して該ポール４をガイドとしながら構造ユニット６を固定部２上へ下降させアンカーボルト５をボルト孔８に挿入して、構造ユニット６を固定部２に設置する。【選択図】        図２
2007277971.tif 000002
【特許請求の範囲】
【請求項１】
簡易組立型の構造ユニットの基礎などの固定部へ、位置決めポールとアンカーボルトとを立設したベースプレートを配設し、構造ユニットの下部に前記位置決めポール挿入用の孔とボルト孔とを形成し、位置決めポールを挿入孔に挿入して該ポールをガイドとしながら構造ユニットを固定部上へ下降させアンカーボルトをボルト孔に挿入して、構造ユニットを固定部に設置することを特徴とする簡易組立型の構造ユニットの固定部への設置方法。
【請求項２】
ベースプレートの中央に位置決めポールを突設し、その周囲に適宜数のアンカーボルトを立設したことを特徴とする簡易組立型の構造ユニットの固定部への固定具。
【請求項３】
前記位置決めポールは、先端を円錐状に、その下方部分を円柱状に形成した請求項２記載の簡易組立型の構造ユニットの固定部への固定具。
【請求項４】
前記アンカーボルトの先端は、位置決めポールの円錐状の部分より上方には突出しない高さに設定する請求項２または請求項３に記載の簡易組立型の構造ユニットの固定部への固定具。
【発明の詳細な説明】
【技術分野】
【０００１】
本発明は、簡易組立型の建築物（ユニットキューブ）であるコンテナ状の構造ユニットの基礎などの固定部への設置方法およびそのために使用する固定具に関するものである。
【背景技術】
【０００２】
柱を基礎などに固定する方法として、簡易組立型ではない一般の鉄骨造建築物の場合は、鉄骨柱の立設は基礎から突出しているアンカーボルトを、柱のベースに形成してあるボルト孔に差し込み、ナットを締めて柱を基礎に固定する。
【０００３】
かかる場合は、アンカーボルトが柱脚廻りに集中しているので柱を一本ずつ取り付けることが可能で、アンカーボルトをガイドとして位置決めし取り付けることができる。
【０００４】
これに対して、例えばプレハブ建築のような簡易組立型の建築物の場合は、構造ユニットを基礎や下部ユニットなどの固定部の上に設置するとき、アンカーボルトが広い範囲に点在しているため、ユニットのベースに形成してあるボルト孔に全てのボルトをほぼ同時に差込むことが困難である。
【０００５】
そのため、ベースのボルト孔にあわせてボルトに位置出しを行い、そこに後施工アンカーを施工している。
【０００６】
前記従来技術は、当業者間で一般的に行われているものであり、文献公知発明にかかるものではない。
【発明の開示】
【発明が解決しようとする課題】
【０００７】
前記のように簡易組立型の構造ユニットの場合、ユニットのベースに形成してあるボルト孔に全てのボルトをほぼ同時に差込むことが困難であり、このため、後施工アンカーでない場合にはベースがアンカーボルトにぶつかり、その結果、ねじ山がつぶれたり、ボルトが曲ったりしてアンカーボルトの交換、矯正が必要となり施工性がよくない。
【０００８】
なお、特開平１１−１５９００７号公報には、モジュール化された構造部材の据付けに際し、図６に示すように柱部材を設置する箇所について十字状の突起（ガイドプレート）２１を設けたベースプレートに柱脚２０を差込む構造の記載があるが、図７のように差し込みときに柱脚２０が少しでも回転すると、柱脚２０とガイドプレート２１との位置関係が変化して柱脚２０の設置にガタツキが生じ精度を出せない。
【０００９】
また、ガイドプレート２１は十字状に突出し角部も円弧状に突出しているので、図８のように柱脚２０の挿入時に、柱脚２０の端がガイドプレート２１の端に引っかかりやすく、挿入がスムーズに行えない。
【００１０】
本発明の目的は前記従来例の不都合を解消し、構造ユニットを基礎や下部ユニットの上の正確な位置にしかもスムーズに設置でき、工期の短縮も図れる簡易組立型の構造ユニットの固定部への設置方法および固定具を提供することにある。
【課題を解決するための手段】
【００１１】
本発明は前記目的を達成するため、請求項１記載の発明は、構造ユニットの設置方法として、簡易組立型の構造ユニットの基礎などの固定部へ、位置決めポールとアンカーボルトとを立設したベースプレートを配設し、構造ユニットの下部に前記位置決めポール挿入用の孔とボルト孔とを形成し、位置決めポールを挿入孔に挿入して該ポールをガイドとしながら構造ユニットを固定部上へ下降させアンカーボルトをボルト孔に挿入して、構造ユニットを固定部に設置することを要旨とするものである。
【００１２】
請求項１記載の本発明によれば、構造ユニットを固定部に固定するとき、構造ユニットの下部に形成したポール挿入用の孔に、ベースプレートに突設した位置決めポールを差し込みながら、構造ユニットを固定部上へ下降させれば、位置決めポールとポール挿入用の孔が合致することで構造ユニットが固定部上の所定位置に位置決められる。
【００１３】
これにより、アンカーボルトもボルト孔に対応してスムーズに挿入され、アンカーボルトがベースプレートにぶつかることもない。
【００１４】
請求項２記載の発明は、固定具として、ベースプレートの中央に位置決めポールを突設し、その周囲に適宜数のアンカーボルトを立設したことを要旨とするものである。
【００１５】
請求項２記載の本発明によれば、アンカーボルトを立設したベースプレートに位置決めポールを立設するだけの簡単な構造の部材を構造ユニットの固定部に取り付けるだけで、構造ユニットを固定部の所定位置に確実に固定できる。
【００１６】
請求項３記載の発明は、前記位置決めポールは、先端を円錐状に、その下方部分を円柱状に形成したことを要旨とするものである。
【００１７】
請求項３記載の本発明によれば、位置決めポールの先端を円錐状に形成したから、ポール挿入用の孔にこの尖った先端が最初に差込まれることで、ポールの挿入用孔への差し込みが確実かつ容易に行われ、さらに、ポールの最先端が孔の中心位置で挿入されなかったとしても、孔はポールに対して、円錐状部分の周面を斜め方向に直線的に接しながら下降するから、スムーズに下降し、その後は円柱状の部分が継続して孔に挿入される。よって、ポールと孔をスムーズに合致できる。
【００１８】
請求項４記載の発明は、前記アンカーボルトの先端は、位置決めポールの円錐状の部分より上方には突出しない高さに設定することを要旨とするものである。
【００１９】
請求項４記載の本発明によれば、ポール挿入用の孔にポール先端の円錐状部が挿入されてからアンカーボルトがボルト孔に挿入されることになり、ベースプレートすなわち固定部に対する構造ユニットの位置決めが確実になされてからアンカーボルトがボルト孔に挿入される。よって、アンカーボルトがベースプレートにぶつかって曲る、ねじ山がつぶれる、などの不都合が生じない。
【発明の効果】
【００２０】
以上述べたように本発明の簡易組立型の構造ユニットの固定部への設置方法および固定具は、構造ユニットを固定部の上へ下降させながら位置決め用ポールとポール挿入用の孔を合致させるだけの簡単な方法で、構造ユニットを基礎や下部ユニットの上に正確な位置にしかもスムーズに設置でき、工期の短縮も図れるものである。
【発明を実施するための最良の形態】
【００２１】
以下、図面について本発明の実施形態を詳細に説明する。図１は本発明の簡易組立型の構造ユニットの固定具の実施形態を示す縦断正面図で、固定具１はコンクリート基礎や下層ユニットなどの固定部２に取り付けるもので、ベースプレート３とこのベースプレート３から上方に向けて突設される位置決め用のポール４、アンカーボルト５とで構成される。
【００２２】
前記ポール４の形状は一例として上端部を円錐状部４ａに形成し、その下方部分を円柱状部４ｂに形成した。
【００２３】
そして、ベースプレート３にポール４とアンカーボルト５とを取り付けるとき、アンカーボルト５の先端がポール４の円錐状部４ａよりも上方に突出しない高さにポール４とアンカーボルト５との高さ関係を設定する。
【００２４】
前記固定具１を使用して簡易組立型の建築物であるモジュール化された構造ユニット６を基礎や下層ユニットなどの固定部２に設置する方法を説明する。図２に示すように構造ユニット６の下部にポールの挿入孔７とボルト孔８とを形成しておく。
【００２５】
構造ユニット６を固定部２の上に下降されば、位置決め用のポール４の先端の円錐状部４ａが挿入孔７にまず差込まれる。
【００２６】
この状態で構造ユニット６をさらに下降させれば、挿入孔７に位置決め用のポール４がさらに差込まれていくが、この場合、位置決め用のポール４の先端が挿入孔７の中心に位置していなくても、挿入孔７の内周縁に対して円錐状部４ａの周面が直線上的に差込まれるから、挿入孔７が円錐状部４ａの基部に到達した時点では、位置決め用のポール４は挿入孔７の中心に位置している。
【００２７】
よって、位置決め用のポール４を挿入孔７にさらに差込めば、下方の円柱状部４ｂがスムーズに挿入され、ベースプレート３すなわち固定部２に対して構造ユニット６が所定位置に設置される。
【００２８】
かかる構造ユニット６の設置時に、位置決め用のポール４の円錐状部４ａが挿入孔７に挿入されるまでは、アンカーボルト５の上部は構造ユニット６に形成したボルト孔８に到達していないから、この間はアンカーボルト５は構造ユニット６と接触せず曲るなどのおそれはない。
【００２９】
位置決め用のポール４の円柱状部４ｂが挿入孔７に挿入され、固定部２に対して正規の所定位置に構造ユニット６が位置決められた時点でアンカーボルト５がボルト孔８に挿入され、構造ユニット６が固定部２の所定位置に固定される。
【００３０】
位置決め用のポール４とアンカーボルト５の位置関係は、アンカーボルト５の本数により種々の形態が考えられ、図３〜図５に示すようにアンカーボルト４本の場合は位置決め用のポール４を中心にして４方に、２本の場合は左右両側に、３本の場合は４本の場合から1本を削除した配置に、それぞれ配置した。
【００３１】
図３〜図５において符号９で示した部分は切欠き部であり、固定具１が取り付けられる基礎のコンクリートを打設する際の、コンクリートの流出用の孔である。
【００３２】
また、図１に示すようにポール４に、基礎のコンクリートを打設する際のレベル調整用のプレート１０を取り付けておくこともできる。
【図面の簡単な説明】
【００３３】
【図１】本発明の簡易組立型の構造ユニットの固定部への設置方法および固定具の実施形態を示す要部の縦断正面図である。
【図２】本発明の簡易組立型の構造ユニットの固定部への設置方法および固定具の実施形態を示す縦断正面図である。
【図３】本発明の簡易組立型の構造ユニットの固定部への固定具の第１例を示す平面図である。
【図４】本発明の簡易組立型の構造ユニットの固定部への固定具の第２例を示す平面図である。
【図５】本発明の簡易組立型の構造ユニットの固定部への固定具の第３例を示す平面図である。
【図６】簡易組立型の構造ユニットの設置方法の従来例を示す説明図である。
【図７】簡易組立型の構造ユニットの設置方法の従来例を示す位置がずれた場合の説明図である。
【図８】簡易組立型の構造ユニットの設置方法の従来例を示す設置途中の正面図である。
【符号の説明】
【００３４】
１  固定具                      ２  固定部
３  ベースプレート              ４  位置決め用のポール
４ａ  円錐状部                  ４ｂ  円柱状部
５  アンカーボルト              ６  構造ユニット
７  挿入孔                      ８  ボルト孔  
９  切欠き部                    １０  プレート  
２０  柱脚                      ２１  ガイドプレート
【図１】
2007277971.tif 000003
【図２】
2007277971.tif 000004
【図３】
2007277971.tif 000005
【図４】
2007277971.tif 000006
【図５】
2007277971.tif 000007
【図６】
2007277971.tif 000008
【図７】
2007277971.tif 000009
【図８】
2007277971.tif 000010